(57)【特許請求の範囲】
【請求項１】
表示ユニットと、
前記表示ユニットを駆動する駆動回路と、
前記表示ユニットの外周縁の少なくとも一部から張り出す第１の領域を有し、前記第１の領域に前記駆動回路を操作するための操作ボタンが設けられた透明材料からなるベースシャーシと
を具備し、
前記操作ボタンは、前記ベースシャーシに配置された透明電極により構成され、
前記ベースシャーシは、前記表示ユニットと平面的に重なり合う第２の領域を有し、
前記操作ボタンは、前記ベースシャーシの第１の領域の外周縁に沿って複数設けられ、
前記複数の操作ボタンは、それぞれ等長で透明の第１の配線により前記第２の領域に引き込まれ、
それぞれの前記第１の配線は、前記第２の領域に設けられ、各前記第１の配線に対応し、かつ、前記第１の配線よりも導電率の高い第２の配線に接続され、
各前記第２の配線は、前記第２の領域において少なくとも１つのポイントに集約される
電子機器。
【請求項２】
請求項１記載の電子機器であって、
前記第１の配線はＩＴＯ（Indium  Tin  Oxide）からなり、
前記第２の配線は銀又は銅からなる
電子機器。
【請求項３】
請求項１記載の電子機器であって、
前記透明電極の外側の領域は透明のグランド電極により囲まれ、
前記透明電極と前記グランド電極とによりタッチパッドとして機能する電子機器。
【請求項４】
請求項３記載の電子機器であって、
前記ベースシャーシの外周縁の少なくとも一部を覆うように設けられた不透明材料からなる保持部材を更に具備し、
前記ベースシャーシは凹部を有し、
前記透明電極及び前記グランド電極は、前記凹部内に配置され、
前記グランド電極と前記保持部材とは平面的に重なり合う部分を有する電子機器。
【発明の詳細な説明】
【技術分野】
【０００１】
本発明は、パーソナルコンピュータやテレビ、ＰＤＡ（Personal Digital Assistant）等の電子機器に関する。
【背景技術】
【０００２】
テレビは従来から表示パネルと装置本体とが一体化されているが、最近のパーソナルコンピュータには、表示パネルの裏面に装置本体が取付けられ、家電としての利便性及びデザイン性が重視されたものが製品化されている。
【０００３】
これらの電子機器にあっては、表示パネルの前面側にパネル部を設け、該パネル部を透明材料によって形成することで、更にデザイン性を高めている（例えば、特許文献１参照。）。
【０００４】
特許文献１に記載された電子機器にあっては、矩形の枠状に形成されたブラケットの内側に表示パネルを有する表示ユニットが配置され、ブラケットの前面に表示ユニットを前方から覆う透明な前面パネルが取り付けられている。前面パネルの外形は表示パネルの外形より大きくされ、表示パネルの外周側に前面パネルの外周部が位置されている。
【０００５】
ところで、最近のパーソナルコンピュータは、音楽再生等も行う機能も有しており、その場合の操作は一般的には画面上で行われているが、キーボードに設けられた音楽再生操作入力部から操作を行うようにすることで家電としての利便性を高めたものもある（例えば、特許文献２参照）。
【特許文献１】特開２００４−７２２３９号公報
【特許文献２】特開２００２−１６３０６０号公報（［００１１］、図２）
【発明の開示】
【発明が解決しようとする課題】
【０００６】
しかしながら、キーボードに設けられた音楽再生操作入力部からの操作では、操作の直感性に乏しく、またキーボードに設けられた音楽再生操作入力部はキーボードの中に存在することから目立たないため、ほとんどの場合がマウスなどを用いて画面上でこれらの操作が行われている。また、キーボードに音楽再生操作入力部を設けた場合には、キーボードのシンプルなデザイン性が損なわれる。
【０００７】
以上のような事情に鑑み、本発明の目的は、音楽再生等の操作ボタンの操作の直感性を高め、デザイン性を向上させることができる電子機器を提供することにある。
【課題を解決するための手段】
【０００８】
以上の課題を解決するにあたり、本発明の電子機器は、表示ユニットと、前記表示ユニットを駆動する駆動回路と、前記表示ユニットの外周縁の少なくとも一部から張り出す第１の領域を有し、前記第１の領域に前記駆動回路を操作するための操作ボタンが設けられた透明材料からなるベースシャーシとを具備することを特徴とする。
【０００９】
本発明においては、透明材料からなるベースシャーシに操作ボタンを設け、操作ボタンの入力に応じて駆動回路にて音楽再生等の操作が制御される。これにより、表示ユニットに隣接して配置されるベースシャーシに設けられた操作ボタンから音楽再生等の操作を行うことができ、操作の直感性を高めることができる。
【００１０】
また、前記操作ボタンは、前記ベースシャーシに配置された透明電極により構成されることを特徴とする。このように透明電極を用いることにより使用者の視認領域でのベースシャーシの透明感を維持することができ、電子機器のデザイン性を向上させることができる。
【００１１】
また、前記ベースシャーシは、前記表示ユニットと平面的に重なり合う第２の領域を有し、前記操作ボタンは、前記ベースシャーシの第１の領域の外周縁に沿って複数設けられ、前記複数の操作ボタンは、それぞれ等長で透明の第１の配線により前記第２の領域に引き込まれ、それぞれの前記第１の配線は、前記第２の領域に設けられ、各前記第１の配線に対応し、かつ、前記第１の配線よりも導電率の高い第２の配線に接続され、各前記第２の配線は、前記第２の領域において少なくとも１つのポイントに集約されることを特徴とする。このように、第１の配線を透明かつ等長に設け、表示ユニットによって非視認領域となる第２の領域に設ける第２の配線に第１の配線よりも導電率の高い材料を用いることにより、視認領域でのベースシャーシの透明感を維持しつつ、各配線間の信号応答特性のばらつきが抑えられた、操作ボタンの操作特性の良い電子機器を得ることができる。
【００１２】
また、前記第１の配線はＩＴＯ（Indium  Tin  Oxide）からなり、前記第２の配線は銀又は銅からなることを特徴とする。このように、第１の配線としては透明なＩＴＯを用いることができる。また、非視認領域に位置する第２の配線は透明である必要がないため、導電率の高い材料を任意に選択することができ、例えば銀や銅を用いることができる。
【００１３】
また、前記透明電極の外側の領域は透明のグランド電極により囲まれ、前記透明電極と前記グランド電極とによりタッチパッドとして機能することを特徴とする。このようにベースシャーシにタッチパッドの機能を持たせることができる。
【００１４】
また、前記ベースシャーシの外周縁の少なくとも一部を覆うように設けられた不透明材料からなる保持部材を更に具備し、前記ベースシャーシは凹部を有し、前記透明電極及び前記グランド電極は、前記凹部内に配置され、前記グランド電極と前記保持部材とは平面的に重なり合う部分を有することを特徴とする。これにより凹部とグランド電極との間に隙間が生じても、この隙間は保持部材により覆われるので、隙間によってベースシャーシの透明感を損ねるということがない。
【００１５】
また、前記タッチパッドにおける静電容量の変化を検出する検出回路が搭載された基板が、前記表示ユニットと前記ベースシャーシとの間に配置されていることを特徴とする。このように操作ボタンの入力の有無の判定に静電容量式センサを用いることができる。また、検出回路が搭載された基板を設けることにより、この基板に例えば操作ボタンを照光するためのＬＥＤなどの照光手段を搭載することができる。更に、操作ボタンの入力に伴う照光手段の点灯の有無の制御を行う制御回路を基板上に設ける場合、点灯信号等をすぐさま送ってＬＥＤの点灯を制御することができるので操作応答性が良い。
【００１６】
本発明の別の観点に係る電子機器は、矩形で透明材料からなり、外周縁に沿って案内溝が設けられたベースシャーシと、前記ベースシャーシの内側の領域に配置された表示ユニットと、前記ベースシャーシの上側外周縁、左側外周縁、右側外周縁及び下側外周縁に沿ってそれぞれの案内溝に案内された不透明材料からなる第１〜第４の保持部材と、上側外周縁に案内された第１の保持部材と左側外周縁及び右側外周縁に案内された第２及び第３の保持部材とを前記ベースシャーシの左右上部角部付近で連結する連結部材とを具備する。
【００１７】
本発明によれば、連結部材により第１の保持部材と第２及び第３の保持部材とをベースシャーシの左右上部角部付近で連結しているので、螺子などを用いた場合比べて美観を損なうこともなく保持部材間の連結部分での隙間を少なくすることができる。
【００１８】
前記第４の保持部材は、前記第２及び第３の保持部材を上方向に押し込むように、前記ベースシャーシの下端部に螺子止めされるように構成してもよい。これにより、前記第４の保持部材と前記第２及び第３の保持部材との隙間をなくすことができ、しかも螺子止めはユーザーから見えない場所である前記ベースシャーシの下端部でなされるので、美観を損なうことはない。
【００１９】
前記ベースシャーシの左右上部角部付近に前記案内溝が除去された連結空間を設けるように構成してもよい。同様に、前記ベースシャーシの左右下部角部付近に前記案内溝が除去された連結空間を設けるように構成してもよい。
【００２０】
連結部材は、逆Ｌ字状で一方（水平部）が第１の保持部材の一端に係合され、他方（垂直部）が第２又は第３の保持部材の一端に係合されるように構成すればよい。
【００２１】
水平部は、上下方向に弾性力を有するような構造（例えば片持ち梁構造）を有し、上面に前記案内溝に設けられた凹部に係合する凸部を有し、垂直部は、少なくとも左右方向に弾性力を有するような構造（例えば片持ち梁を左右方向に二股に割ったような構造）を有し、左右面に前記案内溝に設けられた各凹部に係合する凸部を有するような構造とすればよい。
【００２２】
前記案内溝の所定の位置には、共振防止用の凸部を設けてもよい。
【００２３】
本発明の更に別の観点に係る電子機器は、表示ユニットと、前記表示ユニットの外周縁の少なくとも左側又は右側に張り出す第１の領域を有し、前記第１の領域に前記駆動回路を操作するための複数の操作ボタンが上下に設けられた透明材料からなるベースシャーシと、前記ベースシャーシの下部に開閉可能に軸着され、折り畳んだときに前記表示ユニットにおける一部の表示領域を露出させることが可能なキーボードと、前記キーボードが折り畳まれたときに前記露出された表示領域に前記操作ボタンにより操作される画面を表示する画面表示部とを備え、前記画面表示部により表示される画面のうち特定の画面（例えばメニュー画面）については、前記複数の操作ボタンのうち前記露出された表示領域から左側又は右側に延長した領域に属する操作ボタンによって操作されるものである。
【００２４】
本発明によれば、ユーザーは特定の画面が表示されているときに特定の画面の操作に必要な操作ボタンを直感的に把握することできるので、操作性が向上する。
【００２５】
前記特定の画面が、少なくとも音楽を再生することが可能なアプリケーションを起動可能なメニュー画面であることが好ましい。
【００２６】
前記キーボードが折り畳まれて前記音楽を再生することが可能なアプリケーションを起動された状態から前記キーボードが開かれると、前記表示領域にオペレーティングシステムの画面が表示されるとともに前記アプリケーションに係る画面が表示されるように構成してもよい。この場合に、前記キーボードが折り畳まれていたときに音楽が再生されていたときにはそのまま音楽の再生を継続するようにすればよい。前記キーボードが折り畳まれる前のオペレーティングシステムの画面において前記アプリケーションが起動されていたときには、前記アプリケーションに係る画面として操作画面を表示し、前記キーボードが折り畳まれる前のオペレーティングシステムの画面において前記アプリケーションが起動されていなかったときには、前記アプリケーションに係る画面として前記オペレーティングシステムの画面におけるタスクバーに所定の表示をするようにしてもよい。
【００２７】
前記キーボードが開かれて前記表示領域にオペレーティングシステムの画面が表示されるとともに前記アプリケーションが起動された状態から前記キーボードが折り畳まれると、前記表示領域に前記アプリケーションに係る画面を表示し、前記アプリケーションが起動されない状態から前記キーボードが折り畳まれると、例えば日付・時刻などの所定の設定画面が表示されるようにしてもよい。
【００２８】
前記メニュー画面におけるフォーカスは、上下方向に表示された複数の項目のうちほぼ中央の項目をフォーカスするセンターフォーカスとするように構成すればよい。
【００２９】
前記複数の項目が所定数を超えた場合には項目をループして表示すればよい。このように、メニュー画面において、画面に項目が収まらない場合には、右側にスクロールバーを表示するようにすればよい。これにより、ユーザーは、項目の数が増えた場合に全体の項目の数及び位置を容易に把握することができる。
【発明の効果】
【００３０】
以上のように、本発明によれば、電子機器における操作ボタンの操作の直感性を高め、デザイン性を向上させることが可能となる。
【発明を実施するための最良の形態】
【００３１】
以下、本発明の実施の形態を図面に基づき説明する。
【００３２】
以下に示す形態は、本発明に係る電子機器をパーソナルコンピュータに適用したものである。しかしながら、本発明に係る電子機器の適用範囲はパーソナルコンピュータに限られることはなく、本発明に係る電子機器は、例えばＰＤＡ（Personal Digital Assistant）、ネットワーク端膜、携帯情報端末、ワークステーション等の各種の情報処理装置や音響機器、テレビ等の家庭用家電製品等の各種の電子機器に広く適用することができる。
【００３３】
以下の説明にあっては、説明の便宜上、使用者がパーソナルコンピュータの表示画面を視認する方向を上下前後左右の各方向とし、手前側（使用者側）を前方、使用者の左手方向及び右手方向をそれぞれ左方及び右方とする。また、構造をわかりやすく説明するために、各構成の縮尺や数などを、実際の構造のものと異ならせている場合がある。
【００３４】
電子機器（パーソナルコンピュータ）１は装置本体２とキーボード３と装置本体２の背面２ａに回動自在に支持されたスタンド４とを備えている（図１参照）。
【００３５】
キーボード３は、例えば、装置本体２から分離されており、キーボード３には所定の操作キー３ａ、３ａ、・・・が設けられている。キーボード３の操作キー３ａ、３ａ・・・を操作すると、操作した操作キー３ａに応じた信号が出力され、この出力された信号が装置本体２に設けられた図示しない受信部に無線で入力されて操作キー３ａの操作に応じた各種の処理が実行される。
【００３６】
このように電子機器１にあっては、キーボード３が装置本体２から分離されているため、無線信号が装置本体２で受信可能な範囲内において、必要に応じてキーボード３を任意の位置で使用することが可能である。
【００３７】
尚、電子機器は上記したキーボード３が装置本体２から分離したタイプに限られることはなく、例えば、図２に示すように、装置本体２と該装置本体２の前面２ｂに折畳自在に支持されたキーボード３と装置本体２の背面２ａに回動自在に支持されたスタンド４とを備えた電子機器１Ａであってもよい。電子機器１Ａにあっては、不使用時にキーボード３を折り畳んでおくことが可能であるため、キーボード３の不使用時や音楽再生等の操作時における配置スペースが小さくなるという利点を有する。
【００３８】
装置本体２は、図３及び図４に示すように、ベースシャーシ５の前後両面に所要の各部が取り付けられて構成され、ベースシャーシ５と該ベースシャーシ５の前面に取り付けられた表示ユニット６とベースシャーシ５の後面に取り付けられた制御回路基板７とリアカバー８と制御回路基板７及びベースシャーシ５に電気的に接続する回路基板３００とを有している。
【００３９】
ベースシャーシ５は、例えば、アクリル樹脂等の透明材料を用いた射出成形によって前後方向を向く枠状に形成されている。ベースシャーシ５は前面が第１の取付面部５ａとされ、後面が第２の取付面部５ｂとされている。
【００４０】
ベースシャーシ５の外周縁には不透明材料からなる保持部材３２及び３２´が取り付けられている。
【００４１】
ベースシャーシ５には前方に開口された取付用凹部９が形成されている。取付用凹部９はベースシャーシ５の外周部１０を除いた内周縁と底面部１１の外周縁を連結し外周部１０及び底面部１１に対して略直交する側壁部となる連結部１２とに囲まれた空間として形成されている。
【００４２】
このように外周部１０と底面部１１を両者に対して屈曲する連結部１２によって連結しベースシャーシ５を形成することにより、ベースシャーシ５の強度を上げることができる。
【００４３】
ベースシャーシ５は、図５に示すように、外周部１０の厚みＴ１が底面部１１の厚みＴ２より厚くされ、例えば、外周部１０の厚みＴ１が５ｍｍとされ、底面部１１の厚みＴ２が２．４ｍｍとされている。
【００４４】
このように外周部１０の厚みＴ１を底面部１１の厚みＴ２より厚くすることにより、ベースシャーシ５の高い強度を確保した上で薄型化を図ることができる。
【００４５】
図５、図６及び図８に示すように、ベースシャーシ５の外周部１０の周縁部は、後述する保持部材３２及び３２´と嵌合する溝状の凹部１１３が形成されている。凹部１１３は、ベースシャーシ５の外周部１０の外周縁の前方面及び後方面にそれぞれ溝状に設けられ、その断面形状は一部が括れた形状となっている。また、平面的には外周部１０の外周縁にほぼ沿って該外周縁よりもやや内側に位置するよう設けられている。
【００４６】
図１３に示すように、ベースシャーシ５の外周部１０の下端部には、その左右両端部それぞれ下方に開口された三つずつの保持凹部１０ｃ、１０ｃ、１０ｃが隔離して形成されている。
【００４７】
ベースシャーシ５の外周部１０には、右端部における上端部に蓄光ランプ部１３が形成されている。蓄光ランプ１３は、例えば、電源の投入状態を示すランプ部であり、電源が投入されている状態において点灯し、電源が投入されていない状態において消灯する。
【００４８】
蛍光ランプ１３はベースシャーシ５に後方に開口された溝形状を形成することにより形成されている（図８参照）。蛍光ランプ部１３は、図７及び図８に示すように、上方に開口された円弧状を成す円弧状部１４と該円弧状部１４の先端間に位置する上下に伸びる直線部１５とからなる。
【００４９】
円弧状部１４の奥面部１４ａは上方へ行くに従って前方へ変位するように傾斜され、円弧状部１４の溝の深さは上方へ行くに従って深くなるように形成されている（図８及び図９参照）。
【００５０】
直線部１５の奥面部１５ａは、図８に示すように、上方へ行くに従って前方へ変位するように傾斜され、直線部１５の溝の深さは上方へ行くに従って深くなるように形成されている。直線部１５の下端の溝の深さは、円弧状部１４における直線部１５の真下に位置する部分の上端の溝の深さと同じに形成されている。
【００５１】
円弧状部１４及び直線部１５の各奥面部１４ａ、１５ａには、微細な凹凸形状、例えばシボ加工等が施されている。
【００５２】
蛍光ランプ部１３の下方には第１の素子搭載用基板１６が配置されている（図８及び図１０参照）。第１の素子搭載用基板１６は上下方向を向き、一部がベースシャーシ５に形成された上側素子配置孔１０ｄ（図７参照）に挿入された状態で配置されている。上側素子配置孔１０ｄは蛍光ランプ部１３のすぐ下側に形成されている。
【００５３】
第１の素子搭載用基板１６の上面には、例えば、三つの第１の半導体発光素子１７、１７、１７が左右に隔離して搭載され（図１０参照）、該第１の半導体発光素子１７、１７、１７は蓄光ランプ部１６の真下に位置されている。第１の半導体発光素子１７、１７、１７は、例えば、中央のものが橙色の光を発光する素子であり、左右のものが緑色の光を発光する素子である。
【００５４】
蓄光ランプ部１３には、奥面部１４ａ、１５ａに第１の半導体発光素子１７，１７、１７から発光された光Ｐ１（図８参照）が入射されるが、上記したように、奥面部１４ａ、１５ａを傾斜させ、円弧状部１４及び直線部１５の溝の深さを上方へ行くに従って深くなるように形成し、直線部１５の下端の溝の深さを円弧状部１４における直線部１５の真下に位置する部分の上端の溝の深さと同じに形成することにより、光Ｐ１が奥面部１４ａ、１５ａに満遍なく入射され、光の入射光率の向上を図ることができる。
【００５５】
蓄光ランプ部１３に光Ｐ１が入射されると、光Ｐ１は奥面部１４ａ、１５ａに形成された微細な凹凸形状によって乱反射され、光Ｐ１が蓄光ランプ部１３からベースシャーシ５の内部を透過して前方側へ出射される。
【００５６】
電子機器１においては、例えば、通常の動作モードにおいて左右に位置する第１の半導体発光素子１７、１７から光Ｐ１が発光され、休止モードにおいて中央に位置する第１の半導体発光素子１７から光Ｐ１が発光される。
【００５７】
上記のように、電子機器１にあっては、ベースシャーシ５に蓄光ランプ部１３を設け、半導体発光素子１７、１７、１７から発光された光Ｐ１を蓄光ランプ部１３によって出射するようにしているため、ベースシャーシ５に蓄光ランプ部１３を形成するという簡素な構造を確保した上で、視認性の向上を図ることができる。
【００５８】
ベースシャーシ５の外周部１０には、右端部における下端部に反射ランプ部１８、１８が形成されている（図７参照）。反射ランプ部１８、１８は、例えば、それぞれワイヤレスＬＡＮ（Local  Area  Network）の接続状態やハードディスクドライブのアクセス状態等を示すランプ部であり、ワイヤレスＬＡＮの接続又はハードディスクドライブのアクセスが行われている状態において点灯又は点滅し、これらの接続又はアクセスが行われていない状態において消灯する。
【００５９】
反射ランプ部１８、１８はベースシャーシ５に後方に開口された溝形状を形成することにより形成されている（図１１参照）。
【００６０】
反射ランプ部１８、１８の奥面部１８ａ、１８ａは下方へ行くに従って前方へ変位するように傾斜されている（図１１参照）。また、反射ランプ部１８、１８の奥面部１８ａ、１８ａは右方へ行くに従って前方へ変位するようにも傾斜されている（図１２参照）。
【００６１】
反射ランプ部１８、１８の奥面部１８ａ、１８ａは、鏡面に形成されている。反射ランプ部１８、１８の上方には前後方向を向く第２の素子搭載用基板１９が配置されている（図１０及び図１１参照）。
【００６２】
第２の素子搭載用基板１９の前面には、例えば二つの第２の半導体発光素子２０、２０が左右に隔離して搭載され、該第２の半導体発光素子２０、２０はベースシャーシ５に形成された下側素子配置孔１０ｅ（図７参照）に配置され、それぞれ反射ランプ部１８，１８の真上に位置されている（図１１参照）。下側素子配置孔１０ｅは反射ランプ部１８、１８のすぐ上側に形成されている。
【００６３】
反射ランプ部１８、１８には、奥面部１８ａ、１８ａに第２の半導体発光素子２０、２０から発光された光Ｐ２（図１１参照）が入射される。
【００６４】
反射ランプ部１８、１８に光Ｐ２が入射されると、光Ｐ２は奥面部１８ａ、１８ａで内面反射され、反射ランプ部１８、１８からベースシャーシ５の内部を透過して前方側へ出射される。
【００６５】
このとき、上記したように、反射ランプ部１８、１８の奥面部１８ａ、１８ａが右方へ行くに従って前方へ変位するように傾斜されているため、光Ｐ２は電子機器１の中央側、即ち、表示ユニット６の中央を横切る法線Ｈ（図１２参照）に寄る方向へ向けて反射される。
【００６６】
従って、反射ランプ部１８、１８で反射された光Ｐ２が電子機器１の使用者に視認し易く、ベースシャーシ５に溝形状を形成することにより反射ランプ部１８、１８を形成するという簡素な構造を確保した上で、視認性の向上を図ることができる。
【００６７】
ベースシャーシ５の底面部１１には、それぞれ所定の位置に、スピーカー配置孔１１ａ、１１ａ、接続線通し孔１１ｂ及び冷却空気流通孔１１ｃ、１１ｃ、・・・等が形成されている。また、底面部１１及び連結部１２の各位置には、ネジ止め用の取付ボスや位置決め突部、位置決め孔、取付用突起、取付孔等の各部も形成されている。
【００６８】
表示ユニット６は、表示パネル２１とフロントパネル２２を有している（図１乃至図４参照）。
【００６９】
表示パネル２１は例えば液晶パネルであり、外形がベースシャーシ５の底面部１１の外形より一回り小さくされている。
【００７０】
フロントパネル２２は矩形の枠状に形成され、外形がベースシャーシ５の底面図１１の外形より一回り大きくされている。
【００７１】
表示パネル２１はベースシャーシ５の取付用凹部９に挿入されて配置され、ネジ止め等の適宜の手段によってベースシャーシ５の底面部１１に取り付けられる。表示パネル２１がベースシャーシ５に取り付けられた状態において、フロントパネル２２が外周部１０の内周縁を前方から覆った状態で螺子止め等の適宜の手段によってベースシャーシ５に取り付けられる。表示パネル２１は、その外周縁がフロントパネル２２によって前方から押さえられる。
【００７２】
表示パネル２１の駆動時には、該表示パネル２１の駆動に伴う熱が生じるが、発生した熱はベースシャーシ５に形成された冷却空気流通孔１１ｃ、１１ｃ、・・・を介してベースシャーシ５の背面側に流通され、リアカバー８に形成された図示しない放熱孔から外部へ放出される。従って、表示パネル２１の温度上昇が抑制される。
【００７３】
制御回路基板７は、電子機器１の全体の制御処理を行う基板である。制御回路基板７は、基板２３と該基板２３上に搭載された駆動回路としてのＣＰＵ（中央演算処理装置）やチップセット等の所定の電子部品２３ａ、２３ａ、・・・とを有している（図３及び図４参照）。
【００７４】
制御回路基板７は、電子機器１の全体の制御処理を行う基板である。制御回路基板７は、基板２３と該基板２３上に搭載されたＣＰＵ（中央演算処理装置）やチップセット等の所定の電子部品２３ａ、２３ａ、・・・とを有している。（図３及び図４参照）。
【００７５】
制御回路基板７は、ベースシャーシ５の背面である第２の取付面部５ｂの所定の位置にネジ止め等の適宜の手段によって取り付けられる。制御回路基板７が第２の取付面部５ｂに取り付けられた状態において、図示しない接続線がベースシャーシ５に形成された接続線通し孔１１ｂに挿通され、接続線によって表示パネル２１と制御回路基板７のパネル駆動回路とが接続される。
【００７６】
ベースシャーシ５の第２の取付面部５ｂには、ディスクドライブやカードスロット等のメディア駆動部２４及び冷却用ファン２５等の所定の部品がネジ止め等の適宜の手段によって取り付けられる。
【００７７】
ベースシャーシ５に形成されたスピーカー配置孔１１ａ、１１ａにはそれぞれスピーカー２６、２６が挿入されて配置され、ベースシャーシ５にネジ止め等の適宜の手段によって取り付けられる。
【００７８】
スピーカー配置孔１１ａ、１１ａにスピーカー２６、２６を挿入して取り付けることにより、ベースシャーシ５の第１の取付面部５ａ上にスピーカー２６、２６を取り付ける場合に比し、スピーカー２６、２６の前方への突出量が小さく、電子機器１の薄型化を図ることができる。
【００７９】
上記のように、ベースシャーシ５の第２の取付面部５ｂに制御回路基板７、メディア駆動部２４、冷却用ファン２５等の所定の部品及びスピーカー２６、２６等の所要の各部が取り付けられた状態において、これらの各部を後方から覆うようにリアカバー８が第２の取付面部５ｂにネジ止め等の適宜の手段によって取り付けられる。
【００８０】
リアカバー８は略前後方向を向く基部２７と該基部２７の上下両側縁から前方へ突出された突部２８、２８とを有している。リアカバー８には図示しない複数の放熱孔が形成されている。
【００８１】
基部２７の略中央部にはスタンド支持部２９が設けられ（図４参照）、該スタンド支持部２９の下側にメンテナンス用開口２７ａを有している。メンテナンス用開口２７ａは基部２７に対して着脱自在とされた蓋３０によって開閉される。
【００８２】
蓋３０を基部２７から取り外し、メンテナンス用開口２７ａを開放することにより、制御回路基板７等が露出され、該制御回路基板７等に対するメンテナンスを行うことができる。
【００８３】
リアカバー８の左右両側部にはそれぞれサイドカバー３１、３１が取り付けられる。
【００８４】
以上に記載した通り、電子機器１にあっては、透明材料によって各部が一体に形成されたベースシャーシ５の第１の取付面部５ａと第２の取付面部５ｂにそれぞれ所要の各部を取り付けて構成するようにしているため、構成が簡素であると共に部品点数も少なく組立工数の低減を図ることができる。
【００８５】
ベースシャーシ５の外周部１０の外周縁には、額縁状の不透明材料からなる保持部材３２及び３２´が取り付けられる（図３、図４及び図７参照）。以下、これらの部分を外枠構造６００と呼び、この外枠構造６００について詳細に説明する。
【００８６】
〔外枠構造６００の構成について〕
図２９はベースシャーシ５及び保持部材３２、３２´の分解斜視図である。外枠構造６００は、ベースシャーシ５、上側保持部材３２、左側保持部材３２、右側保持部材３２´、下側保持部材３２、左側上部連結部材６１０、右側上部連結部材６１０、下側保持部材取付螺子６２０とを有する。
ベースシャーシ５の外周部１０は、例えば透明のアクリル部材からなり、例えば射出成型により形成される。
【００８７】
ベースシャーシ５の外周部１０の外周縁（下部外周縁６２１を除く上部外周縁６２２、左部外周縁６２３及び右部外周縁６２４）に沿ってベースシャーシ５の外周部１０の表面及び裏面に同形状の凹部１１３が設けられている（図６参照）。各凹部１１３の所定の位置には、共振防止用の凸部６６０が設けられている（図３０参照）。なお、共振防止用の凸部６６０については後述する。
【００８８】
ベースシャーシ５の外周部１０の下部外周縁６２１に沿って、その下部外周縁６２１の端面に、下方に向けて凸部６２５が設けられている。凸部６２５の下部外周縁６２１に沿った所定の間隔で例えば４箇所に下側保持部材取付螺子６２０が螺子止めされる穴６２６が設けられている（図３１参照）。
【００８９】
ベースシャーシ５の上部の左右角部の凹部１１３に対応する位置は、連結空間６２７が設けられている（図２９、図３２参照）。連結空間６２７の長さは、逆Ｌ字状の左側上部連結部材６１０及び右側上部連結部材６１０の一辺の長さよりも少し長くされている。
【００９０】
ベースシャーシ５の下部の左右角部の凹部１１３及び凸部６２５に対応する位置は、連結空間６２８が設けられている（図２９、図３３参照）。連結空間６２８の縦方向（凹部１１３に対応）の長さは、例えば上記の連結空間６２７の一辺の長さとほぼ等しく、連結空間６２８の横方向（凸部６２５に対応）の長さは、それらの長さよりも短い。
【００９１】
上側保持部材３２は、例えばアルミニウムを主原料とする材料からなり、例えば押し出し成形により形成され、ベースシャーシ５の横方向とほぼ同じ長さで、断面がＴ字状の溝部６３１が設けられている（図３４参照）。この溝部６３１は、表裏に凹部１１３が設けられたベースシャーシ５の上部外周縁６２２に係合する。上側保持部材３２の左端部は、溝部６３１に相当する部分がＴ字状の溝部６３１の上底部の位置まで抉られており、左側保持部材３２の上端部と係合する係合面６３２を有する。係合面６３２は、傾斜面６３２Ａと水平面６３２Ｂとを有する。係合面６３２の水平面６３２Ｂには、左側保持部材３２の上端部の上端面に設けられた突起部６３３と係合する有底穴６３４が設けられている。上側保持部材３２のＴ字状の溝部６３１の左端部近傍の上底部には、左側上部連結部材６１０に設けられた凸部６１１と係合する有底穴６３５が設けられている。なお、図３４では、上部保持部材３２の左側の構造を示しているが、上部保持部材３２の右側の構造はこれと左右対称な構造であり、図示及び説明を省略する。
【００９２】
左側保持部材３２は、例えばアルミニウムを主原料とする材料からなり、例えば押し出し成形により形成され、ベースシャーシ５の高さとほぼ同じ長さで、断面がＴ字状の溝部６３６が設けられている（図３５参照）。この溝部６３６は、表裏に凹部１１３が設けられたベースシャーシ５の左部外周縁６２３に係合する。左側保持部材３２の上端部は、上側保持部材３２の係合面６３２と係合する係合面６３７が設けられている。係合面６３７は、傾斜面６３７Ａと上端面６３７Ｂとを有する。左側保持部材３２の上端面６３７Ｂには、上部保持部材３２の有底穴６３４と係合する突起部６３８が設けられている。左側保持部材３２のＴ字状の溝部６３６の上端部近傍の左右の壁面には、それぞれ、左側上部連結部材６１０に設けられた凸部６１２と係合する係合溝６３９が設けられている。左側保持部材３２の下端部は、下側保持部材３２の係合面６４２と係合する係合面６４０が設けられている。係合面６４０は、傾斜面６４０Ａと下端面６４０Ｂとを有する。左側保持部材３２の下端面６４０Ｂには、下部保持部材３２の有底穴６４３と係合する突起部６４１が設けられている。なお、図３５では、左側保持部材３２の構造を示しているが、右側保持部材３２´の構造はこれと左右対称な構造であり、図示及び説明を省略する。
【００９３】
下側保持部材３２は、例えばアルミニウムを主原料とする材料からなり、例えば押し出し成形により形成され、ベースシャーシ５の横方向とほぼ同じ長さで、断面が凹状の溝部６４４が設けられている（図３６参照）。この溝部６４４は、ベースシャーシ５の下部外周縁６２１の下端に設けられた凸部６２５に係合する。下側保持部材３２の左端部は、溝部６４４に相当する部分が凹状の溝部６４４の下底部の位置まで抉られており、左側保持部材３２の下端部と係合する係合面６４５を有する。係合面６４５は、傾斜面６４５Ａと水平面６４５Ｂとを有する。係合面６４５の水平面６４５Ｂには、左側保持部材３２の下端部の下端面に設けられた突起部６４１と係合する有底穴６４６が設けられている。凹状の溝部６４４の下底部の所定の位置の例えば４箇所には、下側保持部材取付螺子６２０が貫通する貫通孔６４７が設けられている。なお、図３６では、下部保持部材３２の左側の構造を示しているが、下部保持部材３２の右側の構造はこれと左右対称な構造であり、図示及び説明を省略する。
【００９４】
左側上部連結部材６１０は、ある程度弾性力を有するプラスチック材料（例えばＰＯＭ）からなり、逆Ｌ字状の形状で、かつ、断面が内側に凸状の構造をなしている（図３７参照）。左側上部連結部材６１０における逆Ｌ字状の形状の水平部６４８は、逆Ｌ字状の形状の角部に向けて開放端を有する片持ち支持部６４９を有する。片持ち支持部６４９の先端部の上面には、上側保持部材３２の有底穴６３５と係合する凸部６１１が設けられている。片持ち支持部６４９がこのような構造を有することで、凸部６１１が上下方向に弾性力を持って変位することが可能となる。
【００９５】
左側上部連結部材６１０における逆Ｌ字状の形状の垂直部６５０は、逆Ｌ字状の形状の角部に向けて開放端を有する片持ち支持部６５１を有する。片持ち支持部６５１は、開放端側から二股に分かれている（片持ち支持部６５１が２本並列にあると考えることもできる）。片持ち支持部６５１の先端部の両側には、それぞれ、左側保持部材３２の係合溝６３９と係合する凸部６１２が設けられている。片持ち支持部６５１がこのような構造を有することで、凸部６１２が上下左右方向に弾性力を持って変位することが可能となる。なお、図３７では、左側上部連結部材６１０の構造を示しているが、右側上部連結部材６１０の構造はこれと左右対称な構造であり、図示及び説明を省略する。
このような位置決めの部品としての連結部材が上部にあることにより、短い系の同一部品により保持部材間の隙間が管理できるようになっており、これにより軽快な挿入間にて小さい隙間を管理することが可能になる。
【００９６】
〔外枠構造６００の組立方法について〕
以上のように各部が構成された外枠構造６００の組立方法の一例を説明する（図２９参照）。
（１）ベースシャーシ５の上部外周縁６２２に上側保持部材３２の溝部６３１を係合する。
（２）上側保持部材３２の両端のそれぞれに左側上部連結部材６１０及び右側上部連結部材６１０を挿入し、上部保持部材３２の有底穴６３４に突起部６３８を係合する。
（３）ベースシャーシ５の両側の左部外周縁６２３及び右部外周縁６２４の下方からそれぞれ左側保持部材３２及び右側保持部材３２を挿入し、左側保持部材３２及び右側保持部材３２の先端をそれぞれ左側上部連結部材６１０及び右側上部連結部材６１０に挿入する。左側保持部材３２及び右側保持部材３２の上端部の係合面６３７は、それぞれ上側保持部材３２の係合面６３２と係合する。このとき、左側保持部材３２及び右側保持部材３２の係合溝６３９がそれぞれ左側上部連結部材６１０及び右側上部連結部材６１０の凸部６１２に係合する。また、左側保持部材３２及び右側保持部材３２の上端部の突起部６３８はそれぞれ上部保持部材３２の有底穴６３４と係合する。
（４）ベースシャーシ５の下部外周縁６２１に下方から下側保持部材３２を挿入する。このとき、下側保持部材３２の溝部６４４がベースシャーシ５の凸部６２５に係合する。また、下側保持部材３２の両端の係合面６４５は、左側保持部材３２及び右側保持部材３２の下端部とそれぞれ係合する。そして、各係合面６４５の有底穴６４６が左側保持部材３２及び右側保持部材３２の突起部６４１とそれぞれ係合する。
（５）下側保持部材３２の貫通孔６４を介して下側保持部材取付螺子６２０をベースシャーシ５の穴６２６に螺子止めし、下側保持部材３２をベースシャーシ５に固定する。このような底方向からの螺子止めは、底面はセットにおいて唯一のユーザーから不可視エリアであり、この部分で全体の取り付けを安定化させている。下側保持部材取付螺子６２０としは例えば樹脂へのセルフタップビスを採用することにより、左右保持部材と下側保持部部材の多少のオーバーラップ分も問題なくとりつく効果があり、ビスを締結することにより少し持ち上げることが可能となり、下部の隙間に関しても小さい値で管理できるようになる。
【００９７】
〔外枠構造６００に係る効果について〕
上側保持部材３２、左側保持部材３２及び右側保持部材３２´をベースシャーシ５に例えば螺子止めすることが考えられるが、その場合には螺子止めするための穴が基準となって上側保持部材３２と左側保持部材３２及び右側保持部材３２´との位置関係が決まる。しかし、この位置関係は通常の加工精度ではそれほど精密にすることができない。このため、上側保持部材３２と左側保持部材３２及び右側保持部材３２´との接合すべき部分で隙間を生じる可能性が高い。このため美観が損なわれる。加えて、螺子がユーザーに露出する可能性が高く、その意味においても美観が損なわれる可能性が高い。
これに対して、この実施形態に係る外枠構造６００では、上側保持部材３２と左側保持部材３２及び右側保持部材３２´とをそれぞれ左側上部連結部材６１０及び右側上部連結部材６１０を用いて固定しているので、ベースシャーシ５における加工とは無関係に上側保持部材３２と左側保持部材３２及び右側保持部材３２´との位置関係が決まる。したがって、上側保持部材３２と左側保持部材３２及び右側保持部材３２´との接合すべき部分で隙間を生じる可能性がより低くなる。しかも、ベースシャーシ５の上部の左右角部に連結空間６２７を設け、この連結空間６２７において上側保持部材３２と左側保持部材３２及び右側保持部材３２´と連結させているので、空間がある分だけ連結させるための遊びがあり、上側保持部材３２と左側保持部材３２及び右側保持部材３２´との接合すべき部分で隙間を生じる可能性がさらに低くなる。加えて、螺子を使用していないので、美観が損なわれるようなことはい。
【００９８】
また、下側保持部材３２については螺子止めするように構成しているが、螺子の位置が下端部となるためユーザーの目には入らず美観が損なわれることはない。しかも、ベースシャーシ５の下部の左右角部に連結空間６２８が設けられているので、下側保持部材３２と左側保持部材３２及び右側保持部材３２´と連結するときにこの連結空間６２８によりある程度の遊びがあり、下側保持部材３２と左側保持部材３２及び右側保持部材３２´との接合すべき部分で隙間を生じる可能性がさらに低くなる。よって、下側保持部材３２については螺子止めするように構成しても美観が損なわれることはない。
【００９９】
〔共振防止用の凸部６６０について〕
上記の外枠構造６００とした場合、上側保持部材３２、左側保持部材３２及び右側保持部材３２´がベースシャーシ５にしっかりと固定されているわけではない。このため、スピーカーから出力される可聴音によって上側保持部材３２、左側保持部材３２及び右側保持部材３２´が共振し、異音が発生した。かかる課題は、上記の外枠構造６００とした場合にはじめて見出された新規なものである。
より具体的には、以下の通りである。なお、材質については既に説明した通りである。
（１）上側保持部材３２
長さ：４８５ｍｍ
奥行き：６ｍｍ
高さ：５ｍｍ
Ｔ字状溝の最大幅：３．３ｍｍ
Ｔ字状溝の最大幅：２．０ｍｍ
（２）左側保持部材３２及び右側保持部材３２´
長さ：３７５ｍｍ
奥行き：６ｍｍ
高さ：５ｍｍ
Ｔ字状溝の最大幅：３．３ｍｍ
Ｔ字状溝の最大幅：２．０ｍｍ
（３）ベースシャーシ５
外縁部の最大厚さ：３ｍｍ
外縁部の最小厚さ（表裏が凹部の位置）：１．５ｍｍ
以上の条件で可聴をスピーカーから出力させたところ、１６０Ｈｚと３００Ｈｚで共振した。共振モードは、保持部材３２の長手方向を軸とした回転方向であった。
【０１００】
ここで、共振防止用の凸部６６０の高さを０．１５ｍｍとして、外縁部の凹部の表裏が底部及び先端部に設けた。
また、共振防止用の凸部６６０の長さ方向の間隔を１２５ｍｍとした。上側保持部材３２には４箇所に共振防止用の凸部６６０を設け、左側保持部材３２及び右側保持部材３２´には３箇所に共振防止用の凸部６６０を設けた。これにより、共振は発生せず、異音は発生しなくなった。なお、共振防止用の凸部６６０の長さ方向の間隔が１００ｍｍから１５０ｍｍの間であれば共振は発生しなかった。
【０１０１】
以上の通り、ベースシャーシ５の外周縁には額縁状の不透明材料からなる保持部材３２及び３２´が取付けられる（図３、図４及び図７等参照）。保持部材３２及び３２´は厚みの薄い板状の金属材料、例えばアルミニウムなどによって形成される（図６及び図１３、図１８等参照）。保持部材３２及び３２´は、下面部３３と該下面部３３の前後両側縁から上方へ突出された突面部３４、３４とからなり、突面部３４の下面部と反対の先端部はベースシャーシ５の凹部１１３に嵌合するようになっている。
【０１０２】
ベースシャーシ５に枠状の保持部材３２及び３２´が取り付けられることにより、下面部３３及び突面部３４、３４とによって形成される空間３９内にベースシャーシ５の凹部１１３及びこの凹部１１３よりも外側に位置するベースシャーシ５の外周縁が覆われる状態となる。図３及び図４に示すように、保持部材３２及び３２´は、外形が矩形を有するベースシャーシ５の各辺に対応した４つに分解される。このうち操作ボタン４１０〜４１９が配置される辺に対応する保持部材３２´は、他の保持部材３２と部分的に異なる形状を有している。電子機器１を平面的に見たときにタッチパッド用電極基板４００のグランド電極４２０の一部を保持部材３２´が覆うように突面部３４の先端部の形状が形成されている。
【０１０３】
そして、既に説明した通り、電子機器１の組立時において、図６に示すように各辺毎に保持部材３２、３２´をベースシャーシ５の対応する辺に沿ってスライドさせ、ベースシャーシ５の凹部１１３を含む外周縁に保持部材３２、３２´が嵌合される。このように溝状の凹部１１３を設けることにより、保持部材３２の前後方向の移動を防止することができる。
【０１０４】
ベースシャーシ５の下辺に対応する保持部材３２の下面部３３には、左右両端寄りの位置に、図１３に示すようにそれぞれ３つずつの挿入孔３５、３５、・・・が形成されている。挿入孔３５、３５、３５はそれぞれ幅広部３５ａ、３５ａ、・・・と該幅広部３５ａ、３５ａ、・・・より前後の幅が小さい幅狭部３５ｂ、３５ｂ、・・・とが左右方向に連結して成る。
【０１０５】
下辺に配置される保持部材３２はベースシャーシ５に形成された取付用切欠１０ｂを覆うようにして取り付けられる。保持部材３２がベースシャーシ５に取り付けられた状態においては、下面部３３とベースシャーシ５の下面との間に一定の隙間が形成される（図１４参照）。保持部材３２がベースシャーシ５に取り付けられた状態においては、挿入孔３２、３２、・・・の幅狭部３２ｂ、３２ｂ、・・・がベースシャーシ５の保持凹部１０ｃ、１０ｃ、１０ｃの真下に位置される。
【０１０６】
保持部材３２には載置用パッド３６、３６が取り付けられる（図１３参照）。載置用パッド３６は上下方向を向く板状に形成された載置面部３７と該載置面部３７から上方へ突出された被保持部３８、３８、３８とがゴム等の弾性を有する材料によって一体に形成されてなる。被保持部３８、３８、３８は左右に隔離して設けられ、それぞれ被挿入部３８ａ、３８ａ、３８ａと該被挿入部３８ａ、３８ａ、３８ａより前後方向における幅が小さい括れ部３８ｂ、３８ｂ、３８ｂとが上下に連続してなる。括れ部３８ｂ、３８ｂ、３８ｂの前後幅は、それぞれ保持部材３２の幅狭部３５ｂ、３５ｂ、３５ｂの前後幅と略同じ幅に形成されている。
【０１０７】
載置用パッド３６は以下のようにして保持部材３２に取り付けられる（図１５及び図１６参照）。
【０１０８】
先ず、保持部材３２がベースシャーシ５に取り付けられた状態（図１４参照）において、載置用パッド３６の被保持部３８、３８、３８をそれぞれ保持部材３２の挿入孔３５、３５、３５の幅広部３５ａ、３５ａ、３５ａに挿入し、被保持部材３８、３８、３８をベースシャーシ５の下面に下方から強く押し付ける。
【０１０９】
被保持部３８、３８、３８をベースシャーシ５の下面に下方から強く押し付けると、被保持部３８、３８、３８が弾性変形され上下方向において潰れた形状とされる（図１５参照）。
【０１１０】
この状態で載置用パッド３６を側方へスライドさせると、括れ部３８ｂ、３８ｂ、３８ｂがそれぞれ幅狭部３５ｂ、３５ｂ、３５ｂに挿入され、被挿入部３８ａ、３８ａ、３８ａがそれぞれベースシャーシ５の保持凹部１０ｃ、１０ｃ、１０に対応して位置される。従って、被保持部３８、３８、３８が弾性復帰して、それぞれ被挿入部３８ａ、３８ａ、３８ａが保持凹部１０ｃ、１０ｃ、１０ｃに挿入され（図１６参照）、載置用パッド３６が保持部材３２に取り付けられる。
【０１１１】
保持部材３２、３２に取り付けられた載置用パッド３６、３６の載置面部３７、３７は、後述するように、電子機器１が机上等の載置面に載置された状態において該載置面に接する。
【０１１２】
このように、電子機器１にあっては、ベースシャーシ５の下端部に保持部材３２を取り付け、該保持部材３２に弾性を有する載置用パッド３６、３６を取り付け、電子機器１が机上等の載置面に載置された状態において該載置面に載置面部３７、３７が接するようにしているため、電子機器１の載置面に対する載置状態の安定化を図ることができる。
【０１１３】
また、載置用パッド３６、３６が載置面に接するため、載置面及びベースシャーシ５の下端部の傷付きや損傷を防止することができる。
【０１１４】
図１及び図２に示すように、透明材料からなる矩形のベースシャーシ５は、電子機器１の状態で表示ユニット６の外周縁から張り出した形状を有しており、ベースシャーシ５の外周縁は表示ユニット６を囲むように位置している。操作ボタン４１０〜４１９は、表示ユニット６の右側に位置するように設けられる。
【０１１５】
本実施形態においては、操作ボタン４１０〜４１９を表示ユニット６の右側に位置するように設けたが、左側、上側、又は下側に設けるなど適宜設計変更が可能であることは言うまでもない。また、ベースシャーシ５が矩形の表示ユニット６の４辺全てにおいて表示ユニット６から張り出す形状となっているが、例えば表示ユニット６の上下２辺のみ又は左右２辺のみベースシャーシ５が張り出す形状とするなど部分的にベースシャーシ５が表示ユニット６から張り出す形状としてもよい。
【０１１６】
このように、表示ユニット６に隣接して配置されるベースシャーシ５に操作ボタン４１０〜４１９を設けることにより操作の直感性を高めることができる。また、キーボード３に音楽再生操作入力部を設ける必要がないので、音楽再生操作入力部を設けない場合、キーボード３のデザインをシンプルにすることができ、キーボードのデザイン性を向上させることができる。
【０１１７】
図１７は、ベースシャーシ５の操作ボタン４１０〜４１９付近の部分拡大平面図である。図１７において、ベースシャーシ５は実線で、保持部材３２は一点鎖線で、フロントパネル２２の周縁部２２ａは二点鎖線で図示している。電子機器１においては、回路基板３００と操作ボタン４１０〜４１９の透明電極が設けられているタッチパッド用電極基板４００とを電気的に接続するフレキシブル配線基板２００は折り曲げられ、回路基板３００はベースシャーシ５の連結部１２にその平面が平行となるように設けられている。図１７では、各構成をわかりやすく説明するために、フレキシブル配線基板２００を折り曲げず、フレキシブル配線基板２００及び回路基板３００とタッチパッド用電極基板４００がほぼ同じ平面上となるように配置させた状態を図示している。
【０１１８】
図１８（ａ）は図１７のＸＶＩＩＩＡ−ＸＶＩＩＩＡ線に沿った概略断面図であり、図１８（ｂ）は図１７のＸＶＩＩＩＢ−ＸＶＩＩＩＢ線に沿った概略断面図であり、図１８（ｃ）は図１７のＸＶＩＩＩＣ−ＸＶＩＩＩＣ線に沿った概略断面図である。図１８は電子機器１として組み立てられた時の状態を図示したものであり、図１８では、フレキシブル配線基板２００は折り曲げられ、回路基板３００はその平面が連結部１２の面とほぼ平行となるよう図示されている。
【０１１９】
図１９は図１７のＸＩＸ−ＸＩＸ線に沿った概略断面図である。
【０１２０】
図２０はタッチパッド用電極基板４００に設けられた配線の状態を示す平面図である。
【０１２１】
図２１はタッチパッド用電極基板４００の概略分解斜視図である。
【０１２２】
図２２は本実施形態における回路基板３００及びフレキシブル配線基板２００の概略平面図である。図１７では回路基板３００のＡ面３００ａ側が図示されているが、図２２ではＡ面３００ａと対向するＢ面３００ｂ側が図示されている。
【０１２３】
図１乃至図４及び図１７に示すように、ベースシャーシ５には操作ボタン４１０〜４１９が設けられている。図１７及び図２０に示すように、矩形状の表示ユニット６の一辺に対応して張り出したベースシャーシ５の第１の領域５０１には、ベースシャーシ５の第１の領域５０１の外周縁に沿って複数の操作ボタン４１０〜４１９が設けられている。また、ベースシャーシ５は、表示ユニット６と平面的に重なり合う第２の領域５０２を有している。
【０１２４】
本実施形態において、操作ボタン４１０は電子機器１にセットされている音楽ソフトの立ち上げ及びシャットダウン等を行うボタンである。操作ボタン４１１及び４１２は選曲を行うボタンである。操作ボタン４１３は選曲した曲を決定するボタンである。操作ボタン４１４及び４１５は音量を調整するボタンである。操作ボタン４１６は再生・一時停止のボタンである。操作ボタン４１７は巻き戻しのボタン、操作ボタン４１８は早送りのボタンである。操作ボタン４１９はディスクを外へ取り出すためのイジェクトボタンである。
【０１２５】
本実施形態においては、操作ボタンの入力操作に静電容量式センサを採用し、指で操作ボタンを押圧することによりスイッチング操作を行うことができる。操作ボタン４１０〜４１９は、これらに対応して設けられた透明電極４３０〜４３９により構成される。透明電極４３０〜４３９の外側の領域は透明のグランド電極４２０により囲まれている。本実施形態においては、透明電極４３０〜４３９とグランド電極４２０との間の静電容量が、操作ボタン４１０〜４１９を指で押圧することにより変化することを利用して操作ボタンの入力の有無が判定される。すなわち、ベースシャーシ５の操作ボタン４３０〜４３９が配置される領域は操作面となり、ベースシャーシ５は部分的に透明電極４３０〜４３９とグランド電極４２０とによりタッチパッドとして機能する。静電容量の変化の検出は、駆動用ＩＣ３０４に組み込まれている検出回路にて行われる。そして、駆動用ＩＣ３０４にて操作ボタンの入力があったものと判定されると、例えば音楽ソフトの立ち上げるための信号が駆動用ＩＣ３０４から制御回路基板７へ送られる。また、ＬＥＤの点灯を制御する制御回路も駆動用ＩＣ３０４に組み込まれている。
【０１２６】
図１７に示すように、各操作ボタン４１０〜４１９は、角の丸い四角形の白枠４１０ａ〜４１９ａと、該白枠４１０ａ〜４１９ａ内に濃灰色で印刷された音符や矢印といった印４１０ｂ〜４１９ｂとを有している。これらの白枠４１０ａ〜４１９ａ及び印４１０ｂ〜４１９ｂは、例えばベースシャーシ５の後面側に印刷されて形成される。例えば白枠４１０ａ〜４１９ａのインクには照光された光を拡散する拡散部材であるネジウムを含むものを用いることができ、これにより操作ボタン４１０〜４１９に光が照光されると白枠４１０ａ〜４１９ａが白っぽく光る。
【０１２７】
透明電極４３０〜４３９及びグランド電極４２０等は、厚さ約０．７ｍｍ程度のタッチパッド用電極基板４００に設けられている。図１７に示すように、タッチパッド用電極基板４００の平面形状は角の丸い矩形状を有しており、上辺部４００ａ、下辺部４００ｂ、右辺部４００ｃ及び左辺部４００ｄを有している。
【０１２８】
図１７〜図１９に示すように、タッチパッド用電極基板４００は、ベースシャーシ５の後面側に設けられた深さ約０．７ｍｍ、平面形状が矩形の凹部１０８内に配置、貼り付けられている。操作ボタン４１０〜４１９の入力操作は、凹部１０８が設けられた後面と対向するベースシャーシ５の前面側から行われる。
【０１２９】
図１７及び図１８に示すように、平面的にタッチパッド用電極基板４００と保持部材３２´とは部分的に重なり合っており、タッチパッド用電極基板４００の右辺部４００ｃと凹部１０８との隙間は保持部材３２´の突面部３４の先端部３２´ａによって遮蔽される。言い換えると、タッチパッド用電極基板４００に形成されるグランド電極４２０と保持部材３２´とが重なり合う部分が存在する。
【０１３０】
また、平面的にタッチパッド用電極基板４００と表示ユニット６のフロントパネル２２とは部分的に重なり合っており、タッチパッド用電極基板４００の左辺部４００ｄと凹部１０８との隙間は平面的にみてフロントパネル２２によって遮蔽される。
【０１３１】
従って、右辺部４００ｃ及び左辺部４００ｄにおけるタッチパッド用電極基板４００と凹部１０８との隙間は保持部材３２´及び表示ユニット６により遮蔽されるため、隙間は視認されることなく、視覚的に隙間によってベースシャーシ５全体の透明感が損なわれることがない。従って、電子機器１の良好なデザイン性を維持することができる。
【０１３２】
また、図１９に示すように、タッチパッド用電極基板４００の上辺部４００ａ及び下辺部４００ｂと凹部１０８との隙間には透明樹脂４０１が塗布されている。これにより、電子機器１としたときに、上辺部４００ａ及び下辺部４００ｂにおけるタッチパッド用電極基板４００と凹部１０８との境界が視認し難くなり、ベースシャーシ５全体の透明感を維持することができ、電子機器１の良好なデザイン性を維持することができる。
【０１３３】
図２１に示すように、タッチパッド用電極基板４００は、３枚の透明ＰＥＴ（Polyethylene  terephthalate）フィルム４０２、４０３及び４０４が積層した３層構造を有している。上層及び下層にそれぞれ位置する透明ＰＥＴフィルム４０２及び４０４は、それぞれフレキシブル配線基板２００が接続される領域に対応した部分に切欠４０２ａ、４０４ａを有している。中層に位置する透明ＰＥＴフィルム４０３には切欠は設けられておらず、３層を積層した状態では透明ＰＥＴフィルム４０３の切欠部４０２ａ及び４０４ａに対応する領域は露出した状態となっており、この領域がフレキシブル配線基板２００が接着されるフレキシブル配線基板接着領域４０３ａとなる。中層に位置する透明ＰＥＴフィルム４０３は、互いに対向する上面４０３ｂと下面４０３ｃを有している。本実施形態では、ベースシャーシ５に操作ボタンの白枠及び印を印刷したが、タッチパッド用電極基板４００を構成するいずれかの透明ＰＥＴフィルムに印刷してもよい。
【０１３４】
図２０及び図２１に示すように、中層の透明ＰＥＴフィルム４０３の下面４０３ｃ側には、各操作ボタン４１０〜４１９を構成する円形状の透明電極４３０〜４３９と、各透明電極４３０〜４３９に接続する第１の配線４６０〜４６９と、グランド電極４２０と、各第１の配線４７０〜４７９及びグランド電極４２０と電気的に接続するパッド部４６０と、グランド電極４２０及び透明電極４３０〜４３９とこれらそれぞれに対応するパッド部４６０とを電気的に接続する第２の配線としての引出配線４４０〜４５０とが設けられている。
【０１３５】
複数の操作ボタン４１０〜４１９は、それぞれ等長で透明の第１の配線４７０〜４７９により第２の領域５００に引き込まれている。各第１の配線４７０〜４７９は、これら第１の配線４７０〜４７９に対応し、かつ、第１の配線４７０〜４７９よりも導電率の高い引出配線４４０〜４５０に接続されている。引出配線４４０〜４５０は、第２の領域５００に設けられている。尚、図２０及び図２１において、中層の透明ＰＥＴフィルム４０３に形成される透明電極や配線などは透明ＰＥＴフィルム４０３の上面４０３ｂではなく下面側４０３ｃに形成されているが、図面ではこれら透明電極や配線などの配置をわかりやすく説明するために実線で図示している。
【０１３６】
透明電極４３０〜４３９、第１の配線４７０〜４７９及びグランド電極４２０はＩＴＯ（Indium  Tin  Oxide）からなる透明導電材料で形成されており、引出配線４４０〜４５０及びパッド部４６０はＩＴＯよりも導電率の高い、例えば銀で形成されている。
【０１３７】
パッド部４６０は、フレキシブル配線基板接着領域４０３ａの部分が下層の透明ＰＥＴフィルム４０４の切欠４０４ａにより露出した状態となっている。引出配線４４０〜４５０は、第２の領域５００において１つのポイントとしてのフレキシブル配線基板接着領域４０３ａに集約されている。
【０１３８】
グランド電極４２０は、透明電極４３０〜４３９及び第１の配線４７０〜４７９と電気的に分離された状態で、透明電極４３０〜４３９及び第１の配線４０７〜４７９の外側の領域を囲むように形成されている。
【０１３９】
第２の領域５００に隣り合う第３の領域５０３に形成される透明電極４３０〜４３９、第１の配線４７０〜４７９及びグランド電極４２０の一部は、使用者が視認可能な視認領域に位置する。このように、視認領域に設けられる透明電極４３０〜４３９、第１の配線４７０〜４７９及びグランド電極４２０に透明材料を用いることにより、電子機器１の状態で透明電極４３０〜４３９、第１の配線４７０〜４７９及びグランド電極４２０の視認が困難となり、ベースシャーシ５全体の透明感を維持することができ、電子機器１の良好なデザイン性を維持することができる。
【０１４０】
これに対し、第２の領域５００に銀で形成される引出配線４４０〜４５０及びパッド部４６０は、電子機器１としたときに表示ユニット６のフロントパネル２２によって遮蔽され、使用者が視認不可能な非視認領域に位置する。ＩＴＯといった透明電極よりも導電率の高い銀や銅などは有色なため、このような銀や銅を引出配線として用いる場合、表示ユニットを引出配線を覆うように表示ユニットと引出配線とを平面的に重なり合って配置することにより、引出配線は表示ユニットにより遮蔽され視認不可能となる。これにより、ベースシャーシ５の視認できる領域での透明感を維持することができる。
【０１４１】
第１の配線４７０〜４７９は、等長かつ短く形成されている。このように、第１の配線４７０〜４７９を等長かつ短く形成することにより、各操作ボタン間における応答速度を同じくすることができ、また、応答性を良好なものとすることができる。従って、応答精度が安定し、操作性を良好なものとすることができる。
【０１４２】
パッド部４６０及び引出配線４４０〜４５０は、視認領域である第３の領域５０３に形成される透明電極４３０〜４３９等よりも導電率の高い銀で形成している。このように引出配線４４０〜４５０を導電率の高い銀で形成することにより、操作ボタン４１０〜４１９が押圧されてから操作ボタンが押されたものと処理されるまでの応答時間をＩＴＯを用いた場合と比較して短くすることができ、操作応答性が良好となる。また各引出配線４４０〜４５０の配線長の違いによる信号遅延のばらつきの影響をＩＴＯよりも小さくすることができる。従って、操作ボタン４１０〜４１９が押圧されてから操作ボタンが押されたものと処理されるまでの応答時間を操作ボタン４１０〜４１９間でほぼ同じくすることができ、操作性が良好となる。尚、本実施形態においては銀を用いたが、これに限られるものではなく、銅等を用いてもよい。
【０１４３】
このように本実施形態においては、視認領域に形成される電極等に透明材料を用い、視認領域に形成される第１の配線を等長かつ短くし、非視認領域に形成される第２の配線（引出配線）に視認領域の電極に用いられる材料よりも高い導電率の材料を用いるので、ベースシャーシ５の透明感を維持し、電子機器１のデザイン性を良好なものとしつつ、操作ボタンの操作特性を良好なものとすることができる。
【０１４４】
上述したように、操作ボタン４１０〜４１９では、指等の被検知物体が接触した時の静電容量の変化を利用して操作ボタンの入力の有無が検出回路によって検出される。この検出回路は、回路基板３００のＢ面３００ｂに搭載された駆動用ＩＣ３０４に組み込まれている。駆動用ＩＣ３０４と透明電極４３０〜４３９及びグランド電極４２０は、フレキシブル配線基板２００を介して電気的に接続される。操作ボタン４１０〜４１９を指等によって押圧するに伴い増加する静電容量が駆動用ＩＣ３０４に出力され、駆動用ＩＣ３０４にて静電容量の変化により操作ボタンが押されたか否かが判定される。そして操作ボタンが押されたと判定されると、その信号が駆動用ＩＣ３０４から制御回路基板７に出力され、その信号に基づいて音楽再生用ソフトの立ち上がり等が制御される。また、操作ボタンにおける入力に基づいて回路基板３００に搭載されるＬＥＤの点灯等も駆動用ＩＣ３０４によって制御される。
【０１４５】
本実施形態においては、ベースシャーシ５に操作ボタンを設けることにより、表示ユニットを備える装置本体部から直接操作を行うことができ、電子機器１の使用形態の選択の幅を広げることができる。例えば、図２に示すような折り畳み可能な電子機器１においては、キーボード３が折り畳まれていてもベースシャーシ５に設けられている操作ボタンから選曲や音量調整等を行うことができる。このようにベースシャーシ５に操作ボタンを設けることにより、キーボード３からの操作だけでなく表示ユニット６に隣接するベースシャーシ５からの操作が可能となり、操作ボタンの直感性を高めることができ、また電子機器１の使用形態の選択の幅を広げることができる。
【０１４６】
フレキシブル配線基板２００は、回路基板３００とパッド部４６０とを電気的に接続する。図１８（ｃ）に示すように、電子機器１の状態で、フレキシブル配線基板２００は折り畳まれ、回路基板３００はその平面がベースシャーシ５の第１の取付面部５ａに対してほぼ垂直の関係で設置される。図１７及び図１８に示すように、回路基板３００は、第１の取付面部５ａに対して垂直に突出して設けられた直方体形状の支持用突起１０５ａ、１０５ｂ、１０５ｃによって第１の取付面部５ａに対してほぼ垂直、言い換えると連結部１２とほぼ平行となるように支持される。回路基板３００は表示ユニット６とベースシャーシ５の間に位置するように配置される。回路基板３００はベースシャーシ５の視認領域と平面的に重ならないように配置されるので、回路基板３００の存在によってベースシャーシ５の透明感が損なわれることがない。
【０１４７】
図１７及び図２２に示すように、回路基板３００は対向するＡ面３００ａとＢ面３００ｂを有している。回路基板３００は、操作ボタン４１０〜４１９に対応した１０個の孔３０１を有している。Ｂ面３００ｂ側には、駆動用ＩＣ３０４と、各孔１０に対応して設けられた照光手段としての白色ＬＥＤ（Light  Emitting  Diode）３０２が搭載されている。尚、Ａ面３００ａ側から回路基板３００を見た場合、実際には白色ＬＥＤ３０２は孔１０のほぼ中央部に位置するように視認できるが、図１７においては白色ＬＥＤ３０２の図示を省略している。図１８（ｂ）に示すように、白色ＬＥＤ３０２が点灯されると、孔３０１をその光が通過して、対応する操作ボタンをその下側から照光し、操作ボタン付近を照光する。
【０１４８】
本実施形態では、操作ボタン４１０〜４１９が押圧されたときにだけ白色ＬＥＤが点灯するように制御されている。このように押圧されたときに点灯する機能を有するＬＥＤをファンクションＬＥＤと称し、白色ＬＥＤ３０２はファンクションＬＥＤとして機能する。白色ＬＥＤ３０２は、点灯時には次第に光がはっきりしていく（フェードイン）ように、消灯時には光が次第にぼんやり消えていく（フェードアウト）ように、制御されている。本実施形態においては、孔３０１を設け、この孔３０１を光が通過するように白色ＬＥＤ３０２を設けているが、孔を設けずＡ面側３００ａに白色ＬＥＤ３０２を設けてもよい。
【０１４９】
本実施形態においては、１色のＬＥＤのみを設けたが、２色のＬＥＤを設け、操作状態に応じて照光色を変えることも可能である。以下、図２３及び図２４を用いて説明する。
【０１５０】
図２３は２色のＬＥＤを設けた場合の回路基板１３００のＡ面１３００ａ及びＢ面１３００ｂの概略平面図である。図２４は、２色のＬＥＤを用いた場合の操作例を説明する図である。
【０１５１】
図２３に示すように、回路基板１３００は操作ボタンに対応した孔１３０１を有している。図２３（ａ）に示すように、回路基板１３００のＢ面１３００ｂ側には孔１３０１に対応して第１色の照光手段としての白色ＬＥＤ１３０２及び駆動用ＩＣ１３０４が設けられている。他方、図２３（ｂ）に示すように、回路基板１３００のＡ面１００ａ側には各青色ＬＥＤ１３０１に隣り合うように第２色の照光手段としての青色ＬＥＤ１３０３が設けられている。すなわち、各操作ボタン毎に白色ＬＥＤ１３０２及び青色ＬＥＤ１３０３が１つづつ対応して設けられている。
【０１５２】
２色のＬＥＤを用いる場合、操作状態に応じて操作ボタンの照光色を分けて表示することができる。例えば、操作ボタンを押圧した時だけ点灯するファンクションＬＥＤの機能を第１色の照光手段としての青色ＬＥＤ１３０３に持たせ、操作できる操作ボタンだけを点灯するバックライトＬＥＤの機能を第２色の照光手段としての白色ＬＥＤ１３０２に持たせることができる。ここでは、操作できる操作ボタンだけを点灯するＬＥＤをバックライトＬＥＤと称している。例えば図２４（ａ）に示すように、音楽用ディスクが未挿入の状態では、イジェクトボタン４１９は操作できる状態ではないため、未点灯の状態となる。図２４（ｂ）に示すように、ディスクが挿入されると、このイジェクトボタン４１９は操作可能となるため、白色ＬＥＤ１３０１が点灯してイジェクトボタン４１９が白色に照光される。すなわち、イジェクトボタン４１９が白色に点灯していればディスクが挿入状態、未点灯の状態ではディスクが未挿入状態であることが視認できる。図２４（ｃ）に示すように、ディスクが挿入されている状態でイジェクトボタン４１９が押圧されると、青色ＬＥＤ１３０３が点灯してイジェクトボタン４１９は青色に照光される。このように操作状態に応じて操作ボタンの照光色を分けて表示することにより、操作性が向上する。
【０１５３】
また、本実施形態においては、光を反射するアルミニウムからなる保持部材３２´をベースシャーシ５の外周縁に取り付けているので、ＬＥＤ３０２、１３０１、１３０２からの光が保持部材３２´に反射し、保持部材３２´を設けない場合と比較して、操作ボタンを照光する光の明るさを高めることができる。
【０１５４】
また、図２５に示すように、ＬＥＤから発せられる光が照光領域に向かう途中に通る連結部１２の表面１１５、１１６及び保持部材３２´が嵌合する溝状の凹部１１３の表面１１３ａに、光拡散処理としてのシボ加工を施して光を拡散させて、操作ボタンを照光する光の明るさを高めてもよい。シボ加工を行う領域は操作ボタンに対応する領域に例えば行う。シボ加工による表面粗さは例えば１００μｍ程度である。
【０１５５】
また、光を拡散する拡散部材１１４を操作ボタンの操作面と反対の面に塗布することにより、照光の明るさを高めることもできる。
【０１５６】
上述の実施形態においては、図２６（ａ）に示すように、操作ボタン５００は操作面を一点５０１で押圧されて操作される、言い換えると０次元（０Ｄ）的に操作されている。これに対し、図２６（ｂ）に示すように、操作ボタン５１０の操作面を線５１１の方向に沿って指などを接触した状態で移動させる、言い換えると１次元（１Ｄ）的に操作するようにしてもよい。これは、例えば音楽の音量調整の操作ボタンなどに適用でき、音量を上げるときは操作面に指を接触した状態で下から上に向かって移動させ、音量を下げるときには操作面に指を接触した状態で上から下に向かって移動させればよい。また、図２６（ｃ）に示すように、操作ボタン５１２の操作面を互いに直交する２つの線５１２及び５１３の方向に沿って指などを接触した状態で移動させる、言い換えると２次元（２Ｄ）的に操作するようにしてもよい。これは、例えば音楽の選曲などに適用できる。例えば表示パネルにｎ列ｍ行で複数の曲名が表示され、選曲した曲目の色を変えることによって選曲表示をする場合、行方向に選曲表示を移動する場合には線５１２に沿って操作面に指を接触した状態で移動させ、列方向に選曲表示を移動する場合には線５１３に沿って操作面に指を接触した状態で移動させればよい。
【０１５７】
リアカバー８のスタンド支持部２９にはスタンド４が回動機構３９によって回動自在に支持される（図１乃至図４参照）。これにより例えば未使用時には、スタンド４を畳んで持ち運び等の利便性の向上を図ることができる。
【０１５８】
使用者１０１が電子機器１を使用する際の標準的な使用状態は、一般に、図２７に示すように、椅子１０２の高さが４０ｃｍ、机１０３の高さが７０ｃｍ、使用者１０１の床１０４からの目の高さが１２０ｃｍとされる。
【０１５９】
机１０２上に載置された電子機器１は、表示パネルの表示面が垂直方向に対して２５°の角度で傾斜され、使用者１０１は表示パネルの表示面を８５°の角度から視認している。
【０１６０】
図１〜図４に示すように、フロンパネル２２にはカメラ用孔２２ｂが設けられ、カメラ用孔２２ｂにはカメラ６０が配置されている。カメラは、例えばテレビ電話用である。
【０１６１】
〔表示及び操作の制御方法について〕
図２に示した電子機器１Ａにおける表示及び操作を詳細に説明する。  
図３８はパーソナルコンピュータである電子機器１Ａの概略構成を示すブロックである。  
図３８に示すように、電子機器１Ａは、機器全体を制御する制御部７０１と、制御に必要なプログラムや作業領域としての記憶部７０２と、表示パネル２１の表示を制御する表示制御部７０３と、操作ボタン４１０〜４１９を含む入力部７０４と、キーボード３の開閉（折り畳みの動作）を検出する検出部７０５とを備える。なお、検出部７０５としては、例えばキーボード３が折り畳まれたときにキーボード３が接触してオンとなるスイッチを装置本体２に設けてもよいし、非接触型のスイッチを設けても勿論よいし、キーボード３側にこのようなスイッチを設けてもよいし、更に別の手段を用いても勿論構わない。
【０１６２】
以下の説明において各用語の意味は以下の通りである。
【０１６３】
「ハーフスキン」とは、キーボード３が折り畳まれたときに表示パネル２１に表示される画面のことである。「ハーフスキン」のモードにおいては、キーボード３が折り畳まれて隠れた領域には画面は表示されず、残りの、つまり上部の領域に画面が表示される。
【０１６４】
「全画面」とは、表示パネル２１に表示される通常の画面であり、そこには例えばウィンドウズ（登録商標）（登録商標）などのＯＳ（オペレーティングシステム）画面が表示される。
【０１６５】
「ミニプレーヤー」とは、電子機器１Ａにおいて音楽等を再生するためのプログラムの一つである。このプログラムは、例えばウィンドウズ（登録商標）（登録商標）などのＯＳ上で動作する。
【０１６６】
「クリアタッチボタン」とは、操作ボタン４１０〜４１９のことである。「クリアタッチボタン」の「Ｎｏ．１」が操作ボタン４１０に対応し、「クリアタッチボタン」の「Ｎｏ．２」が操作ボタン４１１に対応し、以下、この順番で対応している。
【０１６７】
（全画面表示とハーフスキン表示との切り替え動作）
図３９は全画面表示とハーフスキン表示との切り替え動作を示すフローチャートである。  
制御部７０１では、検出部７０１を介してキーボード３の開閉を監視している。すなわち、Ｎｍｓｅｃごとに監視動作をスタートさせ、検出部（センサ）７０５の変化を確認している（ステップ３９０１〜３９０４）。制御部７０１は、検出部７０５で変化が確認されると、変化があったことをＯＳに対して通知し、ＯＳではＧＵＩ切り替え処理が開始される（ステップ３９０５）。
【０１６８】
ＧＵＩ切り替え処理では、まずモードが確認される（ステップ３９０６）。つまり、キーボード３が閉じられたのか、キーボード３が開かれたのかが確認される。キーボード３が閉じられた場合にはそれまでの全画面表示からハーフスキン表示に切り替えられ（ステップ３９０７）、キーボード３が開かれた場合にはそれまでのハーフスキン表示から全画面表示に切り替えられる（ステップ３９０８）。
【０１６９】
（全画面表示からハーフスキン表示への切り替え）
図４０は全画面表示からハーフスキン表示に替えられたときの動作を示すフローチャートである。  
全画面表示からハーフスキン表示に替えられると（ステップ４００１）、全画面表示のときにミニプレーヤーまたは他の音楽再生プログラムが起動されていたかを判断する(ステップ４００２)。
【０１７０】
全画面表示のときにミニプレーヤーまたは他の音楽再生プログラムが起動されていないときには、日付・時刻画面（図４１参照）を表示する（ステップ４００３）。
【０１７１】
全画面表示のときにミニプレーヤーまたは他の音楽再生プログラムが起動されていたときには、ミニプレーヤーまたは他の音楽再生プログラムに対応する音楽再生画面（図４２〜図４４参照）を表示する（ステップ４００４）。全画面表示のときにミニプレーヤーまたは他の音楽再生プログラムにより音楽が再生されていたら、ハーフスキン表示に替えられたときにもそのまま音楽の再生が継続される。また、全画面表示のときにミニプレーヤーの他にアプリケーションプログラムが起動されていた場合であっても表示及び再生は上記の通りである。ここで、図４２は「ＣＤ再生画面」、図４３は「アルバム再生画面」、図４４は「おまかせチャンネル再生画面」を示している。これらの画面はいずれも全画面表示のときのミニプレーヤーの再生モードに依存している。「おまかせチャンネル再生画面」とは、例えば装置側が音楽の周波数解析になどにより所定の分類を行ってある種の属性を定め、属性毎にチャンネルを割り当てた再生画面のことである。
【０１７２】
（ハーフスキン表示から全画面表示への切り替え）
図４５はハーフスキン表示から全画面表示への切り替えられたときの動作を示すフローチャートである。  
ハーフスキン表示から全画面表示へ切り替えられると（ステップ４５０１）、ハーフスキン表示のときにミニプレーヤーまたは他の音楽再生プログラムが起動されていたかを判断する(ステップ４５０２)。
【０１７３】
ハーフスキン表示のときにミニプレーヤーまたは他の音楽再生プログラムが起動されていたときにはハーフスキン表示に切り替えられる前の全画面表示のときにミニプレーヤーまたは他の音楽再生プログラムが起動されていたかを判断する(ステップ４５０３)。
【０１７４】
ハーフスキン表示に切り替えられる前の全画面表示のときにミニプレーヤーまたは他の音楽再生プログラムが起動されていたときにはウィンドウ画面にミニプレーヤーなどの画面（図４６〜図４９参照）を表示し（ステップ４５０４）、起動されていなかったときにはタスクバーにミニプレーヤーなどのバーを表示する（ステップ４５０５）。ハーフスキン表示のときにミニプレーヤーまたは他の音楽再生プログラムにより音楽が再生されていたら、全画面表示に替えられたときにもそのまま音楽の再生が継続される。
【０１７５】
ステップ４５０２において、ハーフスキン表示のときにミニプレーヤーまたは他の音楽再生プログラムが起動されていないときには、ミニプレーヤーまたは他の音楽再生プログラムが表示されていない通常のＯＳ画面に戻る（ステップ４５０６）。
【０１７６】
ここで、図４６はミニプレーヤーが最小化の状態を示している。図４７はミニプレーヤーがＯＳ画面でリスト表示なしの状態を示している。図４８はミニプレーヤーがＯＳ画面でリスト表示ありの状態を示している。図４９はミニプレーヤーリスト表示なしで他のアプリケーションよりも最前面に表示された状態を示しており、この実施形態においてはハーフスキン表示の前の全画面表示において他のアプリケーションが最前面に表示されていたとしてもミニプレーヤーリスト表示なしが最前面に表示される。これにより、音楽操作がより直接的に行うことができる。なお、ミニプレーヤーリスト表示ありの場合においてもこれと同様である。但し、ハーフスキン表示の前の全画面表示においてミニプレーヤーとオプション画面またはヘルプ画面とが表示されていた場合には、オプション画面またはヘルプ画面が最前面に表示される。オプション画面またはヘルプ画面の方がミニプレーヤーに比べてユーザーにとって優先度が高い場合が多いからである。
【０１７７】
（クリアタッチボタンの割り当て）
ハーフスキン表示及び全画面表示において、クリアタッチボタンはそれぞれ以下のように割り当てられている。
【０１７８】
・ハーフスキン表示の場合
No.１：メニュー画面の表示 / 非表示が選択できる。
No.２：メニュー画面で上に進む。長押しは加速移動する。
No.３：メニュー画面で下に進む。長押しは加速移動する。
No.４：メニュー画面で決定する。
No.５：音量を5%上げる。ミュート機能がONの場合、ミュート解除する。
No.６：音量を5%下げる。ミュート機能がONの場合、ミュート解除する。
No.７：曲の再生／一時停止を行う。
No.８：再生中の曲を頭出しします。すばやく続けて2回クリックすると、前の曲に戻る。
No.９：次の曲に進む。
No.１０：ＣＤが入っている場合イジェクトする。
【０１７９】
・全画面表示の場合
No.１：ミニプレーヤーをメイン画面（リスト表示あり）で起動する。
No.２：リストで上に進む。
No.３：リストで下に進む。
No.４：メニュー画面で決定する。
No.５：音量を5%上げる。ミュート機能がONの場合、ミュート解除する。
No.６：音量を5%下げる。ミュート機能がONの場合、ミュート解除する。
No.７：曲の再生／一時停止を行う。
No.８：再生中の曲を頭出しする。すばやく続けて2回クリックすると、前の曲に戻る。No.９：次の曲に進む。
No.１０：ＣＤが入っている場合イジェクトする。
【０１８０】
・クリアタッチボタンの操作による動作
以下、上記のクリアタッチボタンが操作されたときの制御部側の動作を説明する。
【０１８１】
図５０はクリアタッチボタンNo.１（ミュージックボタン）が押下されたときの動作を示すフローチャートである。  
ミュージックボタンが押下されると（ステップ５００１）、まずモードが確認される（ステップ５００２）。つまり、キーボード３が閉じられているのか、キーボード３が開かれているのかが確認される。
【０１８２】
キーボード３が閉じられた場合にはハーフスキン表示の状態がメニュー画面を表示していたか表示していなかったかが判断される（ステップ５００３）。メニュー画面を表示していたときにはメニュー画面の表示を消し（ステップ５００４）、メニュー画面を表示していなかったときにはメニュー画面を表示する（ステップ５００５）。
【０１８３】
キーボード３が開かれた場合にはミニプレーヤーが起動されていたか起動されていなかったかが判断される（ステップ５００６）。ミニプレーヤーが起動されていないときにはミニプレーヤーを起動する（ステップ５００７）。
【０１８４】
なお、メニュー画面については後述する。
【０１８５】
図５１はクリアタッチボタンNo.２及びNo.３（上下ボタン）が押下されたときの動作を示すフローチャートである。
【０１８６】
上下ボタンが押下されると（ステップ５１０１）、まずモードが確認される（ステップ５１０２）。つまり、キーボード３が閉じられたのか、キーボード３が開かれたのかが確認される。
【０１８７】
キーボード３が閉じられた場合にはハーフスキン表示の状態がメニュー画面を表示していたか表示していなかったかが判断される（ステップ５１０３）。
【０１８８】
メニュー画面を表示していたときにはメニュー画面でカーソルを上または下に１個移動させる（ステップ５１０４）。
【０１８９】
Ｎｍｓｅｃ待って（ステップ５１０５）、まだボタンが押されているときには（ステップ５１０６）、カーソルを上または下に加速移動させるとともにスクロールバーを表示する（ステップ５１０７）。
【０１９０】
ステップ５１０２においてキーボードが開かれていた場合には、ウィンドウズ（登録商標）標準キーボードの、上下矢印キーのキーコードをＯＳに処理を渡す（ステップ５１０８）。即ちＯＳは通常の上下矢印キーが押されたの同様の動作をする。
【０１９１】
図５２はクリアタッチボタンNo.４（ＯＫボタン）が押下されたときの動作を示すフローチャートである。
【０１９２】
ＯＫボタンが押下されると（ステップ５２０１）、まずモードが確認される（ステップ５２０２）。つまり、キーボード３が閉じられたのか、キーボード３が開かれたのかが確認される。
【０１９３】
キーボード３が閉じられた場合にはハーフスキン表示のＧＵＩ状態においてＯＫボタンが有効なオブジェクト（項目）を選択しているか、無効な選択であるかが判断される（ステップ５２０３）。有効なオブジェクトを選択しているときにはその項目を選択し、決定する（ステップ５２０４）。
【０１９４】
ステップ５２０２においてキーボード３が開かれていた場合には、ウィンドウズ（登録商標）標準キーボードの、ＥｎｔｅｒキーのキーコードをＯＳに処理を渡す（ステップ５２０５）。即ちＯＳは通常のＥｎｔｅｒキーが押されたの同様の動作をする。
【０１９５】
図５３はクリアタッチボタンNo.５及びNo.６（音量ボタン）が押下されたときの動作を示すフローチャートである。
【０１９６】
音量ボタンが押下されると（ステップ５３０１）、まずモードが確認される（ステップ５３０２）。つまり、キーボード３が閉じられたのか、キーボード３が開かれたのかが確認される。
【０１９７】
キーボード３が閉じられた場合には音量を１レベル変更し（上げるか、下げるかいずれか）、音量の変更を示すアイコンを例えば３秒間ＯＳＤ（オンスクリーンディスプレイ）表示する（ステップ５３０３）。
【０１９８】
Ｎｍｓｅｃ待って（ステップ５３０４）、まだボタンが押されているときには（ステップ５３０５）、音量を連続的に変更する（ステップ５３０６）。
【０１９９】
ステップ５３０２においてキーボード３が開かれていた場合には、ＯＳに処理を渡す（ステップ５３０７）。
【０２００】
図５４はクリアタッチボタンNo.７、No.８及びNo.９（走行ボタン）が押下されたときの動作を示すフローチャートである。
【０２０１】
走行ボタンが押下されると（ステップ５４０１）、まずモードが確認される（ステップ５４０２）。つまり、キーボード３が閉じられたのか、キーボード３が開かれたのかが確認される。
【０２０２】
キーボード３が閉じられた場合には、まず他のアプリケーション（ミニプレーヤー以外）のモードに設定されているかどうかを判断し（ステップ５４０３）、他のアプリケーションに設定されている場合には設定せれているアプリケーションにそのボタンに対応するキーコードを送信する（ステップ５４０５）。
【０２０３】
他のアプリケーションに設定されていない場合には、ハーフスキン表示のＧＵＩ状態において再生画面となっているか、それ以外かが判断され（ステップ５４０６）、再生画面となっている場合にはそのボタンに対応する走行操作を実行する（ステップ５４０６）。
【０２０４】
ステップ５４０２においてキーボード３が開かれていた場合には、ミニプレーヤーが起動状態にあるかどうかを判断し（ステップ５４０７）、起動中の場合にはそのボタンに対応する走行操作を実行し（ステップ５４０８）、起動中でない場合には、ウィンドウズ（登録商標）標準キーボードの、走行操作キーのキーコードをＯＳに処理を渡す（ステップ５４０９）。即ちＯＳは通常の走行操作キーが押されたの同様の動作をする。
【０２０５】
図５５はクリアタッチボタンNo.１０（イジェクトボタン）が押下されたときの動作を示すフローチャートである。
【０２０６】
イジェクトボタンが押下されると（ステップ５５０１）、まずモードが確認される（ステップ５５０２）。つまり、キーボード３が閉じられたのか、キーボード３が開かれたのかが確認される。
【０２０７】
キーボード３が閉じられた場合には、イジェクトを実行し、イジェクトを示すアイコンを例えば３秒間ＯＳＤ（オンスクリーンディスプレイ）表示する（ステップ５５０３）。
【０２０８】
キーボード３が開いている場合にも、イジェクトを実行し、イジェクトを示すアイコンを例えば３秒間ＯＳＤ（オンスクリーンディスプレイ）表示する（ステップ５５０４）。
【０２０９】
（メニュー画面）
図５６はハーフスキン表示における上記のメニュー画面を示す図である。  
図５６に示すメニュー画面は、上記のようにミュージックボタンが押されたときに表示される。
【０２１０】
メニューの項目の並びは例えば以下の通りである。
（１）「ＣＤ」
（２）アルバム＋右三角マーク
（３）おまかせチャンネル
（４）最近聞いたアルバム
最近聞いたアルバム名1(一番最近聞いたアルバム名)
最近聞いたアルバム名2
最近聞いたアルバム名3
最近聞いたアルバム名4
最近聞いたアルバム名5
（５）最近追加したアルバム
最近追加したアルバム名1（一番最近追加したアルバム名）
最近追加したアルバム名2
最近追加したアルバム名3
（６）設定
再生モード  通常再生/リピート/1曲リピート/シャッフル/無効  右三角マーク
サビ再生  ON/OFF/無効
スリープタイマー  Off/設定時刻  右三角マーク
めざましタイマー  Off/設定時刻  右三角マーク
背景選択  右三角マーク
ここで、メニュー画面におけるフォーカスＦ（カーソルの位置）は、ほぼ中央をフォーカスするセンターフォーカスとされ、最大表示項目数はここでは６個であり、それを超えると項目がループして表示されるようになっている。
【０２１１】
なお、このメニュー画面において、画面に項目が収まらない場合には、右側にスクロールバーが表示されるようになっている。これにより、ユーザーは、項目の数が増えた場合に全体の項目の数及び位置を容易に把握することができる。
【０２１２】
図５６においてメニュー画面の表示部分を含むハーフスキン表示領域に対応するように、操作ボタン４１０〜４１９のうちメニュー画面の操作に必要な操作ボタン４１０〜４１３が位置している。（上記の「クリアタッチボタンの割り当て」における「ハーフスキン表示の場合」参照）すなわち、図５６のハーフスキン表示領域の右側にメニュー画面の操作に必要な操作ボタン４１０〜４１３が位置し、それ以外の操作ボタン４１４〜４１９は折り畳まれたキーボード３の右側に位置するようになっている。これにより、ユーザーはメニュー画面が表示されているときにメニュー画面の操作に必要な操作ボタン４１０〜４１３を直感的に把握することでき、操作性が向上する。
【０２１３】
（配線の引き回し方法〕
本実施形態に係るパーソナルコンピュータにおいては、既に説明した通り音楽等の再生が非常に重要な機能となってきている。そうなると、スピーカー２６の音響性能をより向上させるためにスピーカー２６をできるだけ大きくしたい。図５７はかかる課題に対処したスピーカー２６の配置方法である。
【０２１４】
図５７に示すように、ベースシャーシ５のほぼ中央に矩形の表示パネル２１が配置されている。表示パネル２１の左右側には、それぞれベースシャーシ５の外周部１０との間に３０〜５０ｍｍ程度の隙間が設けられている。この隙間の上部（全体の６０〜８０％程度の領域）にそれぞれ細長なスピーカー２６、２６が配置される。右側のスピーカー２６の下部の残りの領域にはＵＳＢインタフェース用の基板８０１が配置される。このインタフェース用の基板右端部には図示を省略したＵＳＢポートが例えば２個設けられている。このＵＳＢポートはベースシャーシ５の右側側面に露出している。ＵＳＢインタフェース用の基板８０１は、タッチパッド用電極基板４００に接続された回路基板３００からの配線も引き回されている。つまり、ＵＳＢインタフェース用の基板８０１は、ＵＳＢインタフェース用としてだけではなくタッチパッドの配線用の基板としても用いられている。ＵＳＢインタフェース用の基板８０１は、表示パネル２１の背面側に配置された制御回路基板７と接続される。タッチパッドの入力信号がタッチパッド用電極基板４００及びＵＳＢインタフェース用の基板８０１を介して制御回路基板７に伝達される。
【０２１５】
本実施形態では、タッチパッド用電極基板４００を右端面に配置したため、その配線をそのまま制御回路基板７に接続させようとすると、スピーカー２６を配置するための領域が小さくなるが、ＵＳＢインタフェース用の基板８０１を介して制御回路基板７に接続させように構成したので、その分スピーカー２６を配置するための領域が大きくなり、音響性能が向上する。
【０２１６】
尚、上記に示した前後上下左右の方向は説明の便宜上のものであり、本発明の適用においては、これらの方向に限定されることはない。
【０２１７】
上述の実施形態においては、スピーカー２６、２６は視認できない位置に設けられていたが、図２８に示す電子機器としてのテレビ１００１のように、ベースシャーシ１００５を挟み込むように一対のスピーカー２０００を設けてもよい。この場合、装置本体とスピーカー２０００とを電気的に接続する配線１０３０を透明材料で形成することにより、ベースシャーシ５全体の透明感を維持することができ、電子機器１の良好なデザイン性を維持することができる。図２８に示すように、テレビ１００１において、ベースシャーシ１００５は表示パネル１０２１及びフロントパネル１０２２を有する表示ユニット１００６を取り囲むように位置している。操作ボタン１４００に対応する電極は上述の実施形態と同様に視認領域では透明の電極を用いている。
【０２１８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２１９】
【図１】本発明の最良の形態を示す電子機器の斜視図である。
【図２】他のタイプの電子機器の斜視図である。
【図３】図１及び図２に示す電子機器の概略分解斜視図である。
【図４】図３とは反対側から見た状態で示す電子機器の概略分解斜視図である。
【図５】ベースシャーシ概略拡大断面図である。
【図６】ベースシャーシに保持部材を取り付ける様子を示す部分概略斜視図である。
【図７】ベースシャーシ及びこれに取り付けられる保持部材の正面図である。
【図８】素子搭載用基板及び半導体発光素子等とともに示す図７のＶＩＩＩ−ＶＩＩＩ線に沿う拡大断面図である。
【図９】図７のＩＸ−ＩＸ線に沿う拡大断面図である。
【図１０】半導体発光素子と蓄光ランプ部、反射ランプ部との位置関係を示す拡大正面図である。
【図１１】素子搭載用基板及び半導体発光素子等とともに示す図７のＸＩ−ＸＩ線に沿う拡大断面図である。
【図１２】反射ランプ部で反射された光の出射方向を示す拡大断面図である。
【図１３】ベースシャーシの下端部、保持部材及び載置用パッドを示す拡大分解斜視図である。
【図１４】載置用パッドが保持部材に取り付けられる前の状態を示す拡大断面図である。
【図１５】載置用パッドが保持部材に取り付けられる途中の状態を示す拡大断面図である。
【図１６】載置用パッドが保持部材に取り付けられた状態を示す拡大断面図である。
【図１７】ベースシャーシの操作ボタンが設けられたタッチパッド用電極基板付近の部分平面図であり、回路基板の構造及びフレキシブル配線基板の形状をわかりやすく説明するために、フレキシブル配線基板を伸ばした状態を図示している。
【図１８】（ａ）は図１７のＸＶＩＩＩＡ−ＸＶＩＩＩＡ線に沿う概略拡大断面図、（ｂ）は図１７のＸＶＩＩＩＢ−ＸＶＩＩＩＢ線に沿う概略拡大断面図、（ｃ）は図１７のＸＶＩＩＩＣ−ＸＶＩＩＩＣ線に沿う概略拡大断面図であり、いずれもフレキシブル配線基板を折畳んだ状態を図示している。
【図１９】図１７のＸＩＸ−ＸＩＸ線に沿う概略断面図である。
【図２０】タッチパッド用電極基板の配線状態を示す概略平面図である。
【図２１】タッチパッド用電極基板の分解斜視図である。
【図２２】フレキシブル配線基板及び回路基板のＢ面側の平面図である。
【図２３】回路基板の変形例を示す平面図であって、（ａ）はＢ面側、（ｂ）はＡ面側の図である。
【図２４】変形例における操作ボタンの動作状態を示す平面図である。
【図２５】他の変形例におけるベースシャーシの部分拡大斜視図である。
【図２６】更に他の変形例における操作ボタンの各種操作形態を説明するための図である。
【図２７】使用者が電子機器を使用する際の標準的な使用状態と基準状態におけるカメラユニットの撮影用レンズの光軸方向を示す概念図である。
【図２８】更に他の変形例における電子機器の概略平面図である。
【図２９】本実施形態に係るベースシャーシ及び保持部材の分解斜視図である。
【図３０】共振防止用の凸部を示す斜視図である。
【図３１】ベースシャーシの外周部の下部外周縁の分解斜視図である。
【図３２】図２９に示した連結空間（上部）の拡大分解斜視図である。
【図３３】図２９に示した連結空間（下部）の拡大分解斜視図である。
【図３４】（ａ）は図２９に示した上側保持部材と左側保持部材とを示す拡大分解斜視図、（ｂ）はその上側保持部材の底面図である。
【図３５】図２９に示した左側保持部材の右側面図である。
【図３６】（ａ）は図２９に示した下側保持部材と左側保持部材とを示す拡大分解斜視図、（ｂ）はその下側保持部材の底面図である。
【図３７】図２９に示した連結部材の斜視図である。
【図３８】本実施形態に係る電子機器の機能構成を示すブロック図である。
【図３９】キーボードの開閉に対する表示動作を示すフローチャートである。
【図４０】ハーフスキン表示から全画面表示に切り替えられたときの動作を示すフローチャートである。
【図４１】ハーフスキン表示における日付・時刻画面を示す図である。
【図４２】ハーフスキン表示におけるＣＤ再生時の表示画面を示す図である。
【図４３】ハーフスキン表示におけるアルバム再生時の表示画面を示す図である。
【図４４】ハーフスキン表示におけるおまかせチャンネル再生時の表示画面を示す図である。
【図４５】全画面表示からハーフスキン表示に切り替えられたときの動作を示すフローチャートである。
【図４６】ミニプレーヤーが最小化の状態を示す図である。
【図４７】ミニプレーヤーがＯＳ画面でリスト表示なしの状態を示す図である。
【図４８】ミニプレーヤーがＯＳ画面でリスト表示ありの状態を示す図である。
【図４９】ミニプレーヤーリスト表示なしで他のアプリケーションよりも最前面に表示された状態を示す図である。
【図５０】ミュージックボタンが押下されたときの動作を示すフローチャートである。
【図５１】上下ボタンが押下されたときの動作を示すフローチャートである。
【図５２】ＯＫボタンが押下されたときの動作を示すフローチャートである。
【図５３】音量ボタンが押下されたときの動作を示すフローチャートである。
【図５４】走行ボタンが押下されたときの動作を示すフローチャートである。
【図５５】イジェクトボタンが押下されたときの動作を示すフローチャートである。
【図５６】メニュー画面を示す図である。
【図５７】配線の引き回し方法を説明するための図である。
【符号の説明】
【０２２０】
１、１Ａ…パーソナルコンピュータ、  ５、１００５…ベースシャーシ、  ６、１００６…表示ユニット、  ３２、３２´…保持部材、  １１３…凹部、１１３ａ…凹部の表面、  １１４…拡散部材、  １１５、１１６…連結部の表面、  ３００、１３００…回路基板、  ３０２…白色ＬＥＤ、  ３０４…駆動用ＩＣ、  ４１０〜４１９、１４００…操作ボタン、  ４３０〜４３９…透明電極、  ５０１…第１の領域、  １００１…テレビ、  １３０２…白色ＬＥＤ、  １３０３…青色ＬＥＤ
【図１】
0005088545.tif 000002
【図２】
0005088545.tif 000003
【図３】
0005088545.tif 000004
【図４】
0005088545.tif 000005
【図５】
0005088545.tif 000006
【図６】
0005088545.tif 000007
【図７】
0005088545.tif 000008
【図８】
0005088545.tif 000009
【図９】
0005088545.tif 000010
【図１０】
0005088545.tif 000011
【図１１】
0005088545.tif 000012
【図１２】
0005088545.tif 000013
【図１３】
0005088545.tif 000014
【図１４】
0005088545.tif 000015
【図１５】
0005088545.tif 000016
【図１６】
0005088545.tif 000017
【図１７】
0005088545.tif 000018
【図１８】
0005088545.tif 000019
【図１９】
0005088545.tif 000020
【図２０】
0005088545.tif 000021
【図２１】
0005088545.tif 000022
【図２２】
0005088545.tif 000023
【図２３】
0005088545.tif 000024
【図２４】
0005088545.tif 000025
【図２５】
0005088545.tif 000026
【図２６】
0005088545.tif 000027
【図２７】
0005088545.tif 000028
【図２８】
0005088545.tif 000029
【図２９】
0005088545.tif 000030
【図３０】
0005088545.tif 000031
【図３１】
0005088545.tif 000032
【図３２】
0005088545.tif 000033
【図３３】
0005088545.tif 000034
【図３４】
0005088545.tif 000035
【図３５】
0005088545.tif 000036
【図３６】
0005088545.tif 000037
【図３７】
0005088545.tif 000038
【図３８】
0005088545.tif 000039
【図３９】
0005088545.tif 000040
【図４０】
0005088545.tif 000041
【図４１】
0005088545.tif 000042
【図４２】
0005088545.tif 000043
【図４３】
0005088545.tif 000044
【図４４】
0005088545.tif 000045
【図４５】
0005088545.tif 000046
【図４６】
0005088545.tif 000047
【図４７】
0005088545.tif 000048
【図４８】
0005088545.tif 000049
【図４９】
0005088545.tif 000050
【図５０】
0005088545.tif 000051
【図５１】
0005088545.tif 000052
【図５２】
0005088545.tif 000053
【図５３】
0005088545.tif 000054
【図５４】
0005088545.tif 000055
【図５５】
0005088545.tif 000056
【図５６】
0005088545.tif 000057
【図５７】
0005088545.tif 000058